(57)【要約】【課題】通信機器の間における無線通信を容易に接続できると共に、接続状態を容易に把握できる方法を提案する。【解決手段】複数の通信機器の間における無線通信を制御する通信制御装置であって、前記複数の通信機器のうちの第１通信機器に対応する第１物体から、前記第１通信機器を特定する第１特定情報を取得し、第２通信機器に対応する第２物体から、前記第２通信機器を特定する第２特定情報を取得する特定情報取得部と、前記第１物体と前記第２物体とを結び付ける行為を識別する行為識別部と、結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させる接続制御部と、を備える、通信制御装置。【選択図】図３
2014010608.tif 000002
【特許請求の範囲】
【請求項１】
複数の通信機器の間における無線通信を制御する通信制御装置であって、
前記複数の通信機器のうちの第１通信機器に対応する第１物体から、前記第１通信機器を特定する第１特定情報を取得し、第２通信機器に対応する第２物体から、前記第２通信機器を特定する第２特定情報を取得する特定情報取得部と、
前記第１物体と前記第２物体とを結び付ける行為を識別する行為識別部と、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させる接続制御部と、
を備える、通信制御装置。
【請求項２】
前記第１物体及び前記第２物体は、それぞれカード状の物体である、
請求項１に記載の通信制御装置。
【請求項３】
前記第１物体及び前記第２物体は、タッチ操作可能な表示装置上に置かれ、
前記第１物体及び前記第２物体を結び付ける行為は、前記表示装置上で前記第１物体と前記第２物体の間をタッチ操作でつなげる行為である、
請求項２に記載の通信制御装置。
【請求項４】
前記表示装置に、前記第１通信機器及び前記第２通信機器のそれぞれの対応する無線規格に関する情報を表示させる表示制御部を更に備える、
請求項３に記載の通信制御装置。
【請求項５】
前記表示制御部は、複数の前記無線規格の各々に対応するポインタを、前記第１物体及び前記第２物体に関連付けて表示させ、
前記接続制御部は、前記第１物体と前記第２物体にそれぞれ関連付けられたポインタをタッチ操作でつなげる行為が前記行為識別部により識別されると、前記ポインタに対応する無線規格により、前記第１通信機器と前記第２通信機器を接続させる、
請求項４に記載の通信制御装置。
【請求項６】
前記第１物体及び前記第２物体は、それぞれブロック状の物体である、
請求項１に記載の通信制御装置。
【請求項７】
前記第１物体及び前記第２物体を結び付ける行為は、前記第１物体と前記第２物体をケーブルで繋げる行為である、
請求項６に記載の通信制御装置。
【請求項８】
前記第１物体及び前記第２物体には、複数の無線規格の各々に対応した複数の差込口が設けられ、
前記接続制御部は、前記ケーブルが差し込まれた差込口に対応した無線規格により、前記第１通信機器と前記第２通信機器を接続させる、
請求項７に記載の通信制御装置。
【請求項９】
前記第１通信機器と前記第２通信機器との間の無線通信の接続が完了したか否かを、表示部又は発光部で報知させる報知制御部を更に備える、
請求項１に記載の通信制御装置。
【請求項１０】
前記第１通信機器と前記第２通信機器が利用可能なサービス情報を、表示部又は発光部で報知させる報知制御部を更に備える、
請求項１に記載の通信制御装置。
【請求項１１】
互いに無線通信が可能な複数の通信機器のうちの第１通信機器に対応する第１物体から、前記第１通信機器を特定する第１特定情報を取得し、第２通信機器に対応する第２物体から、前記第２通信機器を特定する第２特定情報を取得することと、
前記第１物体と前記第２物体とを結び付ける行為を識別することと、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させることと、
を有する、通信制御方法。
【請求項１２】
コンピュータに、
互いに無線通信が可能な複数の通信機器のうちの第１通信機器に対応する第１物体から、前記第１通信機器を特定する第１特定情報を取得し、第２通信機器に対応する第２物体から、前記第２通信機器を特定する第２特定情報を取得することと、
前記第１物体と前記第２物体とを結び付ける行為を識別することと、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させることと、
を実行させるための、プログラム。
【請求項１３】
互いに無線通信が可能な複数の通信機器と、
前記複数の通信機器の各々に対応する複数の物体であって、それぞれ対応する通信機器を特定する特定情報を有する複数の物体と、
前記複数の通信機器の間における無線通信での接続を制御する通信制御装置と、
を備え、
前記通信制御装置は、
前記複数の通信機器のうちの第１通信機器に対応する第１物体から、前記第１通信機器を特定する第１特定情報を取得し、第２通信機器に対応する第２物体から、前記第２通信機器を特定する第２特定情報を取得する特定情報取得部と、
前記第１物体と前記第２物体とを結び付ける行為を識別する行為識別部と、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させる接続制御部と、
を有する、通信制御システム。
【発明の詳細な説明】
【技術分野】
【０００１】
本開示は、通信制御装置、通信制御方法、プログラム、及び通信制御システムに関する。
【背景技術】
【０００２】
近年、複数の通信機器の間において、無線通信が行われている。そして、無線通信には、Bluetooth（登録商標）やWi-Fi（登録商標）などの様々な無線規格が存在する。通信機器は、ユーザの選択等により、所望の無線規格に基づき無線通信を行う。
【先行技術文献】
【特許文献】
【０００３】
【特許文献１】特開２００２−１３２４４６号公報
【発明の概要】
【発明が解決しようとする課題】
【０００４】
ところで、通信機器が複数の無線規格に対応している場合には、通信機器のユーザは、無線規格を設定する必要がある。このため、ユーザにとっては、通信機器の間における無線通信の接続が煩雑なものとなっている。また、無線通信による接続の場合には、有線接続とは異なり、接続されている通信機器をユーザが判別できない。このため、接続されている通信機器を判別するためには、ユーザは、各通信機器の接続状況を確認する必要がある。
【０００５】
上記の特許文献１は、実物体を用いることでより分かりやすいインターフェースを提供する技術を開示する。しかし、特許文献１は、アプリケーションの機能と実物体を関連させることと、実物体の形状を使ったアプリケーションに対する直感的な操作のみに焦点を当てている。このため、各機器での無線通信による接続状況を個別に確認することなく、接続を完了することはできない。
【０００６】
そこで、本開示は、通信機器の間における無線通信を容易に接続できると共に、接続状態を容易に把握できる方法を提案する。
【課題を解決するための手段】
【０００７】
本開示によれば、複数の通信機器の間における無線通信を制御する通信制御装置であって、前記複数の通信機器のうちの第１通信機器に対応する第１物体から、前記第１通信機器を特定する第１特定情報を取得し、第２通信機器に対応する第２物体から、前記第２通信機器を特定する第２特定情報を取得する特定情報取得部と、前記第１物体と前記第２物体とを結び付ける行為を識別する行為識別部と、結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させる接続制御部と、を備える、通信制御装置が提供される。
【０００８】
また、本開示によれば、互いに無線通信が可能な複数の通信機器のうちの第１通信機器に対応する第１物体から、前記第１通信機器を特定する第１特定情報を取得し、第２通信機器に対応する第２物体から、前記第２通信機器を特定する第２特定情報を取得することと、前記第１物体と前記第２物体とを結び付ける行為を識別することと、結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させることと、を有する、通信制御方法が提供される。
【０００９】
また、本開示によれば、コンピュータに、互いに無線通信が可能な複数の通信機器のうちの第１通信機器に対応する第１物体から、前記第１通信機器を特定する第１特定情報を取得し、第２通信機器に対応する第２物体から、前記第２通信機器を特定する第２特定情報を取得することと、前記第１物体と前記第２物体とを結び付ける行為を識別することと、結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させることと、を実行させるための、プログラムが提供される。
【００１０】
また、本開示によれば、互いに無線通信が可能な複数の通信機器と、前記複数の通信機器の各々に対応する複数の物体であって、それぞれ対応する通信機器を特定する特定情報を有する複数の物体と、前記複数の通信機器の間における無線通信での接続を制御する通信制御装置と、を備え、前記通信制御装置は、前記複数の通信機器のうちの第１通信機器に対応する第１物体から、前記第１通信機器を特定する第１特定情報を取得し、第２通信機器に対応する第２物体から、前記第２通信機器を特定する第２特定情報を取得する特定情報取得部と、前記第１物体と前記第２物体とを結び付ける行為を識別する行為識別部と、結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させる接続制御部と、を有する、通信制御システムが提供される。
【発明の効果】
【００１１】
以上説明したように本開示によれば、通信機器の間における無線通信を容易に接続できると共に、接続状態を容易に把握できる。
【図面の簡単な説明】
【００１２】
【図１】本開示の第１の実施形態に係る通信制御システムの構成例を示す図である。
【図２】接続が完了した通信機器の対応する無線規格の報知例を示す図である。
【図３】表示装置上の複数のカード間を繋げた状態を示す図である。
【図４】各通信機器が利用できるサービスに関する報知例を示す図である。
【図５】第１の実施形態に係る通信制御装置の機能構成例を示すブロック図である。
【図６】表示装置と通信機器の間の接続処理を示すフローチャートである。
【図７】接続が完了した通信機器に対応する無線規格の表示処理を示すフローチャートである。
【図８】表示装置上に置かれたカードによる通信機器同士の接続処理を示すフローチャートである。
【図９】通信機器に対応するサービスの表示処理を示すフローチャートである。
【図１０】第２の実施形態に係る通信制御システムの構成例を示す図である。
【図１１】接続が完了した通信機器に対応する無線規格の報知例を示す図である。
【図１２】ブロック同士をケーブルで繋げた状態を示す図である。
【図１３】各通信機器が利用できるサービスの報知例を示す図である。
【図１４】第２の実施形態に係る通信制御装置の機能構成例を示すブロック図である。
【図１５】ブロックと通信機器の間の接続処理を示すフローチャートである。
【図１６】接続が完了した通信機器に対応する無線規格の報知処理を示すフローチャートである。
【図１７】ブロックによる通信機器同士の接続処理を示すフローチャートである。
【図１８】通信機器に対応するサービスの報知処理を示すフローチャートである。
【図１９】第３の実施形態に係る通信制御システムの構成例を示す図である。
【図２０】第４の実施形態に係る通信制御システムの構成例を示す図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．第１の実施形態
１−１．通信制御システムの概要
１−２．通信制御装置の機能構成例
１−３．無線通信の接続処理例
２．第２の実施形態
２−１．通信制御システムの概要
２−２．通信制御装置の機能構成例
３−３．無線通信の接続処理例
３．他の実施形成
４．まとめ
【００１５】
＜１．第１の実施形態＞
（１−１．通信制御システムの概要）
図１を参照しながら、本開示の第１の実施形態に係る通信制御システム１００の概要について説明する。
【００１６】
図１は、本開示の第１の実施形態に係る通信制御システム１００の構成例を示す図である。図１に示すように、通信制御システム１００は、表示装置１１０と、カード１４０Ａ、１４０Ｂ（以下では、カード１４０と総称する場合がある）と、通信機器１８０Ａ、１８０Ｂ（通信機器１８０と総称する場合がある）と、を備える。なお、図１では、２つのカード１４０Ａ、１４０Ｂと、２つの通信機器１８０Ａ、１８０Ｂが示されているが、それぞれ３個以上であっても良い。
【００１７】
カード１４０Ａは、通信機器１８０Ａに対応し、カード１４０Ｂは、通信機器１８０Ｂに対応するものである。カード１４０Ａには、例えばＮＦＣ等により、通信機器１８０Ａを特定するための特定情報や、通信機器１８０Ａと１対１で通信するための通信情報を、記録可能である。なお、カード１４０Ａが通信機器１８０Ａに付属するものであれば、通信機器１８０Ａを特定する特定情報等が予め記憶される。
【００１８】
カード１４０Ｂには、カード１４０Ａと同様に、通信機器１８０Ｂを特定するための特定情報や、通信機器１８０Ｂと１対１で通信するための通信情報を、記録可能である。なお、カード１４０Ｂが通信機器１８０Ｂに付属するものであれば、通信機器１８０Ｂを特定する特定情報等が予め記憶される。
【００１９】
通信機器１８０は、動画配信や動画受信などの様々なサービス（機能）をユーザが利用できる機器である。通信機器１８０は、BluetoothやWi-Fi等の無線規格に基づいて、無線通信を行う。第１の実施形態に係る通信機器１８０は、表示装置１１０や他の通信機器と無線通信を行う。図１では、通信装置１８０Ａ、１８０Ｂは、互いに無線通信を行ったり、表示装置１１０と無線通信を行う。
【００２０】
表示装置１１０は、例えばシート型のディスプレイであり、各種の情報を表示する。また、表示装置１１０は、例えばＮＦＣ等の近距離無線通信により、表示装置１１０上に置かれたカード１４０と通信可能である。そして、表示装置１１０は、カード１４０の対応する通信機器１８０を特定する特定情報や、通信機器１８０と通信するための通信情報等を、カード１４０から受信する。
【００２１】
（表示装置１１０と通信機器１８０の接続）
表示装置１１０は、通信機器１８０と無線通信が可能である。本実施形態では、表示装置１１０は、カード１４０から受信した特定情報や通信情報等に基づき、表示装置１１０上に置かれたカード１４０に対応する通信機器１８０と１対１の接続を試みる。図１では、表示装置１１０は、カード１４０Ａから受信した情報に基づき通信機器１８０Ａとの接続を試み、カード１４０Ｂから受信した情報に基づき通信機器１８０Ｂとの接続を試みている。
【００２２】
表示装置１１０は、接続を試みた通信機器１８０との接続状態を表示する。ここで、表示装置１１０と通信機器１８０Ａとの間の接続が完了し、表示装置１１０と通信機器１８０Ｂとの間の接続が失敗したものとする。かかる場合に、表示装置１１０は、図１に示すように、カード１４０Ａの横の表示エリア１１２Ａに、通信機器１８０Ａと接続が完了したことを表示し、カード１４０Ｂの横の表示エリア１１２Ｂに、通信機器１８０Ｂとの接続が失敗したことを表示する。このように、表示装置１１０と通信機器１８０の間の接続状態を視覚的な方法でユーザ等に通知するため、ユーザ等は、表示装置１１０と通信機器１８０との接続状態を容易に判断できる。
【００２３】
（通信機器の対応する無線規格の報知）
表示装置１１０は、接続が完了した通信機器１８０から、通信機器１８０の対応する無線規格（例えば、BluetoothやWi-Fi）の情報を取得する。そして、表示装置１１０は、取得した無線規格の情報を報知する。
【００２４】
図２は、接続が完了した通信機器１８０の対応する無線規格の報知例を示す図である。ここで、表示装置１１０と、図１に示すカード１４０Ａに対応する通信機器１８０Ａとの間で接続が完了したものとする。すると、表示装置１１０は、カード１４０Ａの縁に対応するエリアに、通信機器１８０Ａが対応する無線規格が割り当てられたポインタＡ１、Ａ２を表示する。ここで、BluetoothがポインタＡ１に割り当てられ、Wi-FiがポインタＡ２に割り当てられたものとする。なお、表示装置１１０は、ポインタＡ１、Ａ２を識別しやすいように、例えば異なる色で点灯又は点滅させて表示しても良い。
【００２５】
また、表示装置１１０は、図２に示すように、カード１４０Ａの横の表示エリア１１２Ａに、ポインタＡ１、Ａ２に割り当てた無線規格に関する情報を表示する。ここでは、表示装置１１０は、通信機器１８０Ａの対応する無線規格の種類と、各無線規格による接続準備ができているか否かを表示する。これにより、ユーザ等は、通信機器１８０Ａによる接続準備が出来たか否かを視覚的に把握できる。
【００２６】
（カードによる通信機器同士の接続）
表示装置１１０が複数のカード１４０の各々に対応した通信機器１８０と通信を完了した後に、ユーザが２つのカード１４０のポインタ同士を繋げると、カード１４０に対応する２つの通信機器１８０の間でポインタに割り当てられた無線規格による接続が行われる。これにより、ユーザは、通信機器１８０において煩雑な設定等を行わなくても、視覚的に、所望の無線規格により通信機器１８０同士を接続できる。また、ユーザが個々の通信機器１８０において接続の設定等を行う手間を省くことができる。
【００２７】
表示装置１１０は、２つの通信機器１８０の間でポインタに割り当てられた無線規格による接続が、完了したか、又は失敗したかを表示する。これにより、ユーザは、所望の無線規格による接続状況を視覚的に把握できる。この結果、ユーザが、個々の通信機器１８０の接続状況を確認する手間が省ける。
【００２８】
図３は、表示装置１１０上の複数のカード１４０間を繋げた状態を示す図である。図３では、表示装置１１０が、カード１４０Ａに対応する通信機器１８０Ａと、カード１４０Ｂに対応する通信機器１８０Ｂと、カード１４０Ｃに対応する通信機器１８０Ｃと、カード１４０Ｄに対応するルータ１９０と、接続が完了されているものとする。また、表示装置１１０では、ユーザが、カード１４０のポインタ上で指をドラッグすると、ポインタから線が延びるように表示される。例えば、図３では、ユーザが、カード１４０ＢのポインタＢ２上でタッチしてカード１４０ＤのポインタＤ２へ向けて移動させており、これに伴い起点であるポインタＢ２からポインタＤ２へ向けて延びた線が示されている。
【００２９】
そして、図３では、ユーザが、カード１４０ＢのポインタＢ１とカード１４０ＣのポインタＣ１とを繋げて、カード１４０Ｂに対応する通信機器１８０Ｂとカード１４０Ｃに対応する通信機器１８０ＣとをBluetoothで接続している。そして、表示ウィンドウ１１２Ｂ、１１２Ｃには、通信機器１８０Ｂ、１８０ＣがBluetoothでの接続が完了したことが表示されている。同様に、ユーザが、カード１４０ＣのポインタＣ２とカード１４０ＤのポインタＤ１とを繋げており、表示ウィンドウ１１２Ｃ、１１２Ｄに示すように、通信機器１８０Ｃとルータ１９０とがWi-Fiでの接続が完了されている。一方で、ユーザが、カード１４０ＡのポインタＡ１とカード１４０ＤのポインタＤ４とが繋げているが、表示ウィンドウ１１２Ａ、１１２Ｄに示すように、通信機器１８０Ａとルータ１９０とのWi-Fiでの接続が失敗している。
【００３０】
（通信機器の対応するサービスの報知）
表示装置１１０は、通信機器１８０同士の接続後、通信機器１８０が利用できるサービスに関するサービス情報を、各通信機器１８０から取得する。そして、表示装置１１０は、取得したサービス情報を報知する。具体的には、表示装置１１０は、カード１４０の横に位置する表示ウィンドウにサービス情報を表示する。これにより、ユーザは、各通信機器１８０の利用できるサービスを視覚的に把握でき、通信機器１８０において確認する手間を省ける。
【００３１】
サービスとしては、例えば、通信機器１８０の間で静止画等のファイルを交換するファイル交換のサービスが挙げられる。ファイル交換のサービスは、例えば、Bluetoothによって１対１で接続されている通信機器１８０の間でＦＴＰのプロトコルをサポートしている場合に、利用できる。また、サービスとしては、動画配信や動画受信のサービスが挙げられる。動画配信・受信のサービスは、通信機器１８０がＤＬＮＡサーバやＤＬＮＡクライアントに対応する場合に、利用できる。
【００３２】
図４は、各通信機器１８０が利用できるサービスに関する報知例を示す図である。図４では、通信機器１８０Ａは、表示ウィンドウ１１２Ａに示すように、動作配信のサービスを利用できない一方で、動画受信のサービスを利用できる。また、通信機器１８０Ｂは、表示ウィンドウ１１２Ｂに示すように、動画配信のサービス、及び静止画等のファイルのファイル交換のサービスを利用できる。通信機器１８０Ｃは、表示ウィンドウ１１２Ｃに示すように、ファイル交換のサービスを利用できる。なお、サービスに障害が発生した場合には、サービスが利用できないことが表示される。
【００３３】
（１−２．通信制御装置の機能構成例）
表示装置１１０は、上述したように、表示装置１１０上に置かれたカード１４０に基づき、カード１４０に対応する通信機器１８０の間における無線通信を制御する。そして、表示装置１１０は、複数の通信機器１８０の間における無線通信を制御するための通信制御装置１５０を有する。以下では、図５を参照しながら、第１の実施形態に係る通信制御装置１５０の機能構成例について説明する。
【００３４】
図５は、第１の実施形態に係る通信制御装置１５０の機能構成例を示すブロック図である。図５に示すように、通信制御装置１５０は、特定情報取得部１５２と、行為識別部１５４と、接続制御部１５６と、表示制御部１５８と、報知制御部１６０と、記憶部１６２と、を備える。
【００３５】
特定情報取得部１５２は、複数の通信機器１８０のうちの第１通信機器１８０に対応するカード１４０（第１物体）から、第１通信機器を特定する特定情報（第１特定情報）を取得する。また、特定情報取得部１５２は、第２通信機器１８０に対応するカード１４０（第２物体）から、第２通信機器１８０を特定する特定情報（第２特定情報）を取得する。例えば、特定情報取得部１５２は、ＮＦＣ等によりカード１４０に記憶された特定情報を受信することで、特定情報を取得する。以下では、一例として、第１通信機器を通信機器１８０Ａとし、第２通信機器を通信機器１８０Ｂとし、カード状の物体である第１物体をカード１４０Ａとし、第２物体をカード１４０Ｂとして説明する。
【００３６】
行為識別部１５４は、ユーザによるカード１４０Ａとカード１４０Ｂとを結び付ける行為を識別する。第１の実施形態では、図１等に示すように、カード１４０Ａ及びカード１４０Ｂは、タッチ操作可能な表示装置１１０上に置かれている。そして、第１の実施形態においてカード１４０Ａ及びカード１４０Ｂを結び付ける行為は、図３に示すように、表示装置１１０上でカード１４０Ａとカード１４０Ｂとの間をユーザがタッチ操作でつなげる行為である。これにより、ユーザは、カード１４０Ａとカード１４０Ｂを結び付けたことを直感的に理解できる。
【００３７】
接続制御部１５６は、結び付けられたカード１４０Ａ及びカード１４０Ｂに対応する通信機器１８０Ａ及び通信機器１８０Ｂに対して、取得された２つの通信機器１８０Ａ、１８０Ｂの特定情報に基づき通信を行い、通信機器１８０Ａと通信機器１８０Ｂとを無線通信で接続させる。これにより、ユーザは、目視できる２つのカードを結びつけるだけで、所望の通信機器１８０の間で無線通信を接続できる。
【００３８】
表示制御部１５８は、表示装置１１０の表示画面（表示部に該当）に、通信機器１８０Ａ及び通信機器１８０Ｂのそれぞれの対応する無線規格に関する情報を表示させる。例えば、図３に示すように、表示制御部１５８は、通信機器１８０Ａ、１８０Ｂの対応する無線規格の種類を、表示画面に表示させる。これにより、ユーザは、通信機器１８０Ａ、１８０Ｂの対応する無線規格を容易に把握できる。
【００３９】
また、表示制御部１５８は、複数の無線規格の各々に対応するポインタ（図３に示すポインタＡ１、Ｂ１等）を、カード１４０Ａ及びカード１４０Ｂに関連付けて表示させる。そして、接続制御部１５６は、カード１４０Ａとカード１４０Ｂにそれぞれ関連付けられたポインタをタッチ操作でつなげる行為が行為識別部１５４により識別されると、前記ポインタに対応する無線規格により、通信機器１８０Aと通信機器１８０Ｂを接続させる。これにより、ユーザは、所望の無線規格で通信を行いたい場合に、所望の無線規格に対応するポインタ同士をつなげれば良いので、ユーザの利便性が向上する。
【００４０】
報知制御部１６０は、図３に示すように、通信機器１８０Ａと通信機器１８０Ｂとの間の無線通信の接続が完了したか否かを、表示装置１１０の表示画面で報知させる。また、報知制御部１６０は、図４に示すように、通信機器１８０Ａと通信機器１８０Ｂが利用可能なサービス情報を、表示装置１１０の表示画面で報知させる。なお、報知制御部１６０は、表示画面の代わりにＬＥＤ等の発光部で報知しても良い。
【００４１】
記憶部１６２は、通信制御装置１５０が処理を行う際に用いるデータを記憶する。また、記憶部１６２は、通信制御装置１５０が無線通信の制御を行う際に実行するプログラムを記憶する。
【００４２】
（１−３．無線通信の接続処理例）
次に、上述した構成を有する第１の実施形態に係る無線通信の接続処理例について説明する。以下に説明する処理例は、上述した表示装置１１０の通信制御装置１５０が、記憶部１６２に記憶されたプログラムを実行することにより実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００４３】
（表示装置と通信機器の間の接続処理）
まず、図６を参照しながら、表示装置１１０と、表示装置１１０上に置かれたカード１４０に対応する通信機器１８０との間の接続処理について、説明する。
【００４４】
図６は、表示装置１１０と通信機器１８０の間の接続処理を示すフローチャートである。図６のフローチャートは、ユーザが、表示装置１１０と通信機器１８０の電源をＯＮしたところから開始される（ステップＳ１０２）。また、表示装置１１０上には、図１に示すようにカード１４０が置かれており、表示装置１１０は、カード１４０から対応する通信機器１８０の特定情報等を取得しているものとする。次に、表示装置１１０は、カード１４０から取得した特定情報等に基づき、表示装置１１０上に置かれたカード１４０に対応する通信機器１８０との接続を試みる（ステップＳ１０４）。
【００４５】
次に、表示装置１１０は、通信機器１８０との接続中に、エラーが発生し、又はタイムアウトしたか否かを判定する（ステップＳ１０６）。ステップＳ１０６においてエラーが発生せずタイムアウトしていない場合には（Ｎｏ）、表示装置１１０は、図１に示すように、表示ウィンドウに接続完了を表示する（ステップＳ１０８）。一方で、ステップＳ１０６においてエラーが発生し、又はタイムアウトした場合には（Ｙｅｓ）、表示装置１１０は、表示ウィンドウにエラーを表示する（ステップＳ１１０）。
【００４６】
（接続完了した通信機器に対応する無線規格の表示処理）
次に、図７を参照しながら、表示装置１１０との間で接続が完了した通信機器１８０に対応する無線規格の表示処理について、説明する。
【００４７】
図７は、接続が完了した通信機器１８０に対応する無線規格の表示処理を示すフローチャートである。図７のフローチャートは、上述した図６のフローチャートにより、表示装置１１０と通信機器１８０の間で接続が完了したところから開始される（ステップＳ１２２）。
【００４８】
次に、表示装置１１０は、接続が完了した通信機器１８０に、対応する無線規格を問い合わせる（ステップＳ１２４）。すると、表示装置１１０は、応答として、通信機器１８０の対応する無線規格に関する情報を受信する。次に、表示装置１１０は、図２に示すように、応答を受けた通信機器１８０に対応するカード１４０の縁に、無線規格に対応するポインタを点灯、又は点滅させる（ステップＳ１２６）。この際、表示装置１１０は、無線規格毎に異なる色でポインタを表示する。
【００４９】
（表示装置上のカードによる通信機器１８０同士の接続処理）
次に、図８を参照しながら、表示装置１１０上に置かれたカード１４０による通信機器１８０同士の接続処理について、説明する。
【００５０】
図８は、表示装置１１０上に置かれたカード１４０による通信機器１８０同士の接続処理を示すフローチャートである。図８のフローチャートは、カード１４０の縁に無線規格に対応するポインタが点灯又は点滅するところから開始される。
【００５１】
まず、表示装置１１０は、ユーザが２つのカード１４０のポインタ間を指でドラッグしたことにより、図３に示すように２つのポインタ間を線でつなぐ（ステップＳ１４２）。次に、表示装置１１０は、線でつないだ２つのポインタの色が異なるか否かを判定する（ステップＳ１４４）。ステップＳ１４４で２つのポインタの色が異なると判定された場合には（Ｎｏ）、すなわち異なる無線規格同士を繋げているので、表示装置１１０は、線の接続を解除する（ステップＳ１４６）。
【００５２】
一方で、ステップＳ１４４で２つのポインタの色が同じと判定された場合には（Ｙｅｓ）、表示装置１１０は、ポインタに対応した無線規格での接続を、２つのポインタに対応する２つの通信機器１８０に依頼する（ステップＳ１４８）。これにより、２つの通信機器１８０は、ポインタに対応した無線規格での接続を試みる。そして、２つの通信機器１８０の間での接続中にエラーが発生し、又はタイムアウトとなった場合には（ステップＳ１５０：Ｙｅｓ）、表示装置１１０は、ユーザに報知するために、エラーやエラーアイコンを表示する（ステップＳ１５２）。
【００５３】
（通信機器に対応するサービスの表示処理）
次に、図９を参照しながら、カード１４０のポインタ同士をつなげることで接続された通信機器１８０に対応するサービスの表示処理について、説明する。
【００５４】
図９は、通信機器１８０に対応するサービスの表示処理を示すフローチャートである。図９のフローチャートは、上述した図８のフローチャートにより、カード１４０のポインタ同士をつなげることで通信機器１８０を接続したところから開始される（ステップＳ１６２）。
【００５５】
次に、表示装置１１０は、現在の通信機器１８０の接続状況から通信機器１８０が提供できるサービスを、通信機器１８０に問い合わせる（ステップＳ１６４）。次に、表示装置１１０は、通信機器１８０が提供できるサービス（例えば、動画配信やファイル交換のサービス等）にエラーが発生しているか否かを判定する（ステップＳ１６６）。ステップＳ１６６でエラーが発生しないと判定された場合には（Ｎｏ）、表示装置１１０は、図４に示すようにサービスが利用できることを表示する（ステップＳ１６８）。一方で、ステップＳ１６６でエラーが発生していると判定された場合には（Ｙｅｓ）、表示装置１１０は、サービスが利用できないことを表示する（ステップＳ１７０）。
【００５６】
＜２．第２の実施形態＞
（２−１．通信制御システムの概要）
上述した第１の実施形態では、通信機器１８０に対応するカード１４０を表示装置１１０上に置いて、カード１４０同士を繋げることで通信機器１８０同士が接続される。これに対して、第２の実施形態では、カード１４０の代わりにブロック同士をケーブルで繋げることにより、ブロックに対応する通信機器同士が接続される。以下においては、図１０を参照しながら、本開示の第２の実施形態に係る通信制御システム２００の概要について説明する。
【００５７】
図１０は、第２の実施形態に係る通信制御システム２００の構成例を示す図である。図１０に示すように、通信制御システム２００は、ブロック２１０Ａ、２１０Ｂ、２１０Ｃ（以下では、ブロック２１０と総称する場合がある）と、通信機器２４０Ａ、２１０Ｂ、２１０Ｃ（以下では、通信機器２４０と総称する場合がある）と、を備える。なお、図１０では、３つのブロック２１０Ａ、２１０Ｂ、２１０Ｃと、３つの通信機器２４０Ａ、２４０Ｂ、２４０Ｃが示されているが、これに限定されず、それぞれ２個や４個以上であっても良い。
【００５８】
通信機器２４０は、第１の実施形態の通信機器１８０と同様に、動画配信や動画受信などの様々なサービス（機能）をユーザが利用できる機器である。通信機器２４０は、BluetoothやWi-Fi等の無線規格に基づいて、無線通信を行う。図１０に示す通信装置２４０Ａ、２４０Ｂ、２４０Ｃは、互いに無線通信を行うことができる。
【００５９】
ブロック２１０Ａは、通信機器２４０Ａに対応し、ブロック２１０Ｂは、通信機器２４０Ｂに対応し、ブロック２１０Ｃは、通信機器２４０Ｃに対応するものである。例えば、ブロック２１０Ａが、通信機器２４０Ａの付属品でありうる（他のブロック２１０Ｂ、２１０Ｃも同様）。複数のブロック２１０Ａ、２１０Ｂ、２１０Ｃは、詳細は後述するが、互いにケーブル等によって接続することが可能である。
【００６０】
（ブロック２１０と通信機器２４０の間の接続）
ブロック２１０は、対応する通信機器２４０と無線通信を行う機能を有する。例えば、図１０に示す各ブロック２４０Ａ、２４０Ｂ、２４０Ｃは、対応する通信機器２４０Ａ、２４０Ｂ、２４０Ｃとの間でＮＦＣやBluetoothでペアリングを実行して、１対１の接続を完了できる。なお、ブロック２１０が通信機器２４０の付属品である場合には、ブロック２１０と通信機器２４０の間のペアリングを完了した状態で準備できる。
【００６１】
また、ブロック２１０は、対応する通信機器２４０との間の接続状態をユーザに通知できる。例えば、ブロック２１０は、接続の完了や接続の失敗を、表示部や発光部（例えば、ＬＥＤ）等によりユーザに報知できる。図１０に示すブロック２１０Ａ、２１０Ｂは、表示部Ｓにより報知を行い、ブロック２１０Ｃは、発光部Ｌにより報知を行なっている。なお、図１０では、ブロック２１０Ａ、２１０Ｂが、表示部Ｓで報知を行なっているが、発光部で報知を行なっても良い。
【００６２】
（通信機器に対応する無線規格の報知）
ブロック２１０は、接続が完了した通信機器２４０から、通信機器２４０の対応する無線規格の情報を取得する。そして、ブロック２１０は、取得した無線規格の情報をユーザに報知する。
【００６３】
図１１は、接続が完了した通信機器２４０に対応する無線規格の報知例を示す図である。図１１に示すように、ブロック２１０は、無線規格に対応したケーブルを差し込む差込口Ｈ１〜Ｈ４と、ユーザに報知するための発光部Ｌ１〜Ｌ６とを有する。なお、差込口Ｈ１〜Ｈ４は、それぞれ形状が異なり、規格毎に割り当てられている。また、差込口Ｈ１〜Ｈ４は、点灯又は点滅するように構成されている。
【００６４】
図１１では、ブロック２１０が対応する通信機器２４０と接続が完了しているので、接続が完了したことを示す発光部Ｌ１が点灯している。また、ブロック２１０の対応する通信機器２４０が、BluetoothとWi-Fiの規格に対応しているので、これらの規格に対応した差込口Ｈ１、Ｈ２が点灯している。このように視覚的に報知されるので、ユーザは、通信機器２４０の対応する無線規格を容易に把握できる。
【００６５】
なお、図１１では、差込口Ｈ１、Ｈ２を点灯又は点滅することとしたが、これに限定されず、差込口の周囲に対応する発光部を設けて発光させることとしても良い（後述する図１２参照）。また、図１１では、差込口Ｈ１〜Ｈ４の形状が異なることとしたが、これに限定されず、ユーザが無線規格に対応する差込口を識別できれば、差込口の形状は同一であっても良い。
【００６６】
（ブロックによる通信機器同士の接続）
第２の実施形態では、ユーザが２つのブロック２１０の無線規格が割り当てられている差込口Ｈ１〜Ｈ４同士をケーブルで繋げると、２つのブロック２１０に対応する通信機器２４０同士が、差込口に対応する無線規格による接続が行われる。これにより、ユーザは、通信機器２４０において煩雑な設定等を行わなくても、所望の無線規格により通信機器２４０同士を接続できる。
【００６７】
図１２は、ブロック２１０同士をケーブルで繋げた状態を示す図である。図１２では、ブロック２１０Ａとブロック２１０Ｂが、Bluetooth対応のケーブルＣ１で繋がれ、ブロック２１０Ａとブロック２１０Ｄが、Wi-Fi対応のケーブルＣ２で繋がれ、ブロック２１０Ｃとブロック２１０Ｄが、Wi-Fi対応のケーブルＣ２で繋がれている。なお、ブロック２１０Ｄは、Wi-Fiルータ２５０に対応し、Wi-Fiルータ２５０と１対１で接続される。このように、ケーブルＣ１、Ｃ２でブロックを繋げることにより、ブロック２１０Ａとブロック２１０がBluetoothで接続され、ブロック２１０Ｄとブロック２１０Ａ、２１０ＣがWi-Fiで接続される。
【００６８】
また、ブロック２１０は、ケーブルを繋いた後で他のブロックとの接続が完了したか、又は接続が失敗したかを報知するための接続報知部Ｅ１〜Ｅ４を、対応する差込口Ｈ１〜Ｈ４の周囲に備える。接続報知部Ｅ１〜Ｅ４は、例えば色を変えて点灯することで、接続が完了したか、又は接続が失敗したかを報知する。図１２では、ブロック２１０Ａ、２１０Ｂの接続が完了し、ブロック２１０Ｃの接続が失敗されたことが報知されている。
【００６９】
（通信機器に対応するサービスの報知）
ブロック２１０は、対応する通信機器２４０が利用できるサービス（例えば、動画配信、動画受信、ファイル交換等）に関するサービス情報を通信機器２４０から取得して、報知する。これにより、ユーザは、各通信機器２４０が利用できるサービスを視覚的に把握できる。
【００７０】
図１３は、各通信機器２４０が利用できるサービスの報知例を示す図である。図１３に示す各ブロック２１０Ａ、２１０Ｂ、２１０Ｃは、それぞれサービス情報を報知するための複数の発光部（発光部Ｌ２〜Ｌ６）を有する。発光部Ｌ２〜Ｌ６は、例えば発光の色を変えることで、サービスを利用できることを報知し、又はサービスを利用できないことを報知する。図１３では、ブロック２１０Ａは、通信機器２４０Ａが動画配信及びファイル交換のサービスを利用でき、ブロック２１０Ｂは、通信機器２４０Ｂがファイル交換のサービスを利用でき、ブロック２１０Ｃは、通信機器２４０Ｃが動画配信をエラーで利用できない一方で動画受信を利用できることを報知している。
【００７１】
（２−２．通信制御装置の機能構成例）
第１の実施形態では、表示装置１１０が通信制御装置１５０（図５）を有することとしたが、第２の実施形態では、ブロック２１０が通信制御装置を有する。以下では、図１４を参照しながら、第２の実施形態に係る通信制御装置２５０の機能構成例について説明する。
【００７２】
図１４は、第２の実施形態に係る通信制御装置２５０の機能構成例を示すブロック図である。図１４に示すように、通信制御装置２５０は、第１の実施形態と同様に、特定情報取得部２５２と、行為識別部２５４と、接続制御部２５６と、報知制御部２６０と、記憶部２６２と、を備える。
【００７３】
特定情報取得部２５２は、ブロック２１０の記憶部２６２に記憶された通信機器を特定する特定情報を取得する。以下では、ブロック状の物体である第１物体をブロック２１０Ａ、第２物体をブロック２１０Ｂとし、第１通信機器を通信機器２４０Ａ、第２通信機器を通信機器２４０Ｂとして説明する。行為識別部２５４は、２つのブロック２１０Ａ、２１０Ｂをケーブルで繋げる行為を識別する。すなわち、２つのブロック２１０Ａ、２１０Ｂの差込口にケーブルが差し込まれたことを識別する。
【００７４】
接続制御部２５６は、ケーブルを繋げたブロック２１０Ａ、２１０Ｂに対応する通信機器２４０Ａ及び通信機器２４０Ｂに対して、取得された２つの通信機器２４０Ａ、２４０Ｂの特定情報に基づき、通信機器２４０Ａと通信機器２４０Ｂを無線通信で接続させる。この際に、接続制御部２５６は、ケーブルが差し込まれた差込口に対応した無線規格により、通信機器２４０Ａと通信機器２４０Ｂを接続させる。これにより、ユーザは、どの無線規格により接続されたかを、直感的に理解できる。
【００７５】
報知制御部２６０は、図１２に示すように、接続された通信機器２４０Ａと通信機器２４０Ｂとの間の無線通信の接続状態を、ブロック２１０Ａ、２１０Ｂの表示部や発光部で報知させる。また、報知制御部２６０は、図１３に示すように、通信機器２４０Ａと通信機器２４０Ｂが利用可能なサービス情報を、ブロック２１０Ａ、２１０Ｂの表示部や発光部で報知させる。
【００７６】
（２−３．無線通信の制御処理例）
以下において、上述した構成を有する第２の実施形態に係る無線通信の制御処理例について説明する。なお、第２の実施形態における処理例は、図６〜図９で説明した第１の実施形態における処理例と似ており、通信制御装置２５０により実行される。
【００７７】
（ブロックと通信機器の間の接続処理）
図１５は、ブロック２１０と通信機器２４０の間の接続処理を示すフローチャートである。図１５のフローチャートは、ブロック２１０と通信機器２４０の電源がＯＮされたところから開始される（ステップＳ２０２）。次に、各ブロック２１０は、対応する通信機器２４０との接続を試みる（ステップＳ２０４）。
【００７８】
次に、ブロック２１０は、通信機器２４０との接続中にエラーやタイムアウトが発生しない場合には（ステップＳ２０６：Ｎｏ）、図１０に示すように、表示画面や発光部により接続完了を報知する（ステップＳ２０８）。一方で、ステップＳ２０６でエラーやタイムアウトが発生した場合には（Ｙｅｓ）、ブロック２１０は、表示画面や発光部によりエラーを報知する（ステップＳ２１０）。
【００７９】
（通信機器に対応する無線規格の報知処理）
図１６は、接続が完了した通信機器２４０に対応する無線規格の報知処理を示すフローチャートである。図１６のフローチャートは、上述した図１５のフローチャートにより、ブロック２１０と通信機器２４０の間で接続が完了したところから開始される（ステップＳ２２２）。
【００８０】
次に、各ブロック２１０は、接続が完了した通信機器２４０に、対応する無線規格を問い合わせる（ステップＳ２２４）。次に、各ブロック２１０は、図１１に示すように、通信機器２４０から応答された無線規格に対応する差込口を点灯又は点滅させる（ステップＳ２２６）。
【００８１】
（ブロックによる通信機器同士の接続処理）
図１７は、ブロック２１０による通信機器２４０同士の接続処理を示すフローチャートである。図１７のフローチャートは、ユーザが、ケーブルをブロック２１０の差込口にあるポートに接続するところから開始される（ステップＳ２４２）。
【００８２】
そして、ケーブルを接続している差込口が通信機器２４０の対応していない無縁規格である場合には（ステップＳ２４４：Ｎｏ）、ブロック２１０は、エラーを表示する（ステップＳ２５４）。一方で、ステップＳ２４４で通信機器２４０が対応している無線規格である場合には（Ｙｅｓ）、ブロック２１０は、通信機器２４０同士が接続を行う無線規格を決定する（ステップＳ２４６）。次に、ブロック２１０は、対応する通信機器２４０に対して、決定した無線規格での接続を依頼する（ステップＳ２４８）。
【００８３】
その後、２つの通信機器２４０が所定の無線規格で接続を行う際にエラーやタイムアウトが発生しない場合には（ステップＳ２５０：Ｎｏ）、ブロック２１０は、図１２に示すように、表示画面や発光部により接続完了を報知する（ステップＳ２５２）。一方で、ステップＳ２５０でエラーやタイムアウトが発生した場合には（Ｙｅｓ）、ブロック２１０は、表示画面や発光部によりエラーを報知する（ステップＳ２５４）。
【００８４】
（通信機器に対応するサービスの報知処理）
図１８は、通信機器２４０に対応するサービスの報知処理を示すフローチャートである。図１８のフローチャートは、上述した図１７のフローチャートにより、ブロック２１０をケーブルでつなげることで通信機器２４０を接続したところから開始される（ステップＳ２６２）。
【００８５】
次に、各ブロック２１０は、対応する通信機器２４０に対して、現在の通信機器２４０の接続状況から通信機器２４０が提供できるサービスを問い合わせる（ステップＳ２６４）。そして、通信機器２４０が提供できるサービスにエラーが発生している場合には（ステップＳ２６６：Ｙｅｓ）、ブロック２１０は、図１３に示すように、サービスが利用できないことを報知する（ステップＳ２７０）。一方で、ステップＳ２６６でサービスにエラーが発生していない場合には（Ｎｏ）、ブロック２１０は、サービスが利用できることを報知する（ステップＳ２６８）。
【００８６】
＜３．他の実施形態＞
第１の実施形態においては、表示装置１１０上に置かれたカード１４０に対応する通信機器１８０同士を接続することとした。しかし、これに限定されず、以下に説明する図１９や図２０に示す構成であっても良い。
【００８７】
（第３の実施形態）
図１９は、第３の実施形態に係る通信制御システム３００の構成例を示す図である。第３の実施形態では、第１の実施形態の表示装置１１０の代わりに、プロジェクタ等の投影装置３１０が用いられる。
【００８８】
投影装置３１０は、通信機器３８０Ａ、３８０Ｂ、３８０Ｃ（通信機器３８０と総称する場合がある）に対応するカード３４０Ａ、３４０Ｂ、３４０Ｃ（カード３４０と総称する場合がある）を置くための投影面３１１を映し出す。また、投影装置３１０は、投影面３１１に置かれたカード３４０の状態を撮像する撮像装置の機能を有する。さらに、投影装置３１０は、撮像されたカード３４０のコード（例えば、ＱＲコード）に基づき、カード３４０に対応する通信機器３８０と無線通信が可能である。ここで、カード３４０のコードは、カード３４０が対応する通信機器３８０を特定する特定情報等が含んでいる。このため、投影装置３１０は、コードを読み込むことで、カード３４０が対応する通信機器３８０を特定できる。
【００８９】
また、投影装置３１０は、ユーザＵがカード３４０間を指でつなげる動作を認識できる。例えば、図１９では、投影装置３１０は、カード３４０Ａとカード３４０Ｂの間、及びカード３４０Ａとカード３４０Ｃの間の動作を認識している。そして、投影装置３１０は、認識結果に基づき、例えばカード３４０Ａとカード３４０Ｂに対応する通信機器３８０Ａと通信機器３８０Ｂの間で接続を行う。なお、投影装置３１０による通信機器３８０同士の接続処理は、第１の実施形態に係る表示装置１１０と同様なので、説明を省く。このように、第３の実施形態においても、カード３４０を用いることで、ユーザが視覚的に通信機器３８０の接続状態を把握し、通信機器３８０同士を簡易な方法で接続できる。
【００９０】
（第４の実施形態）
図２０は、第４の実施形態に係る通信制御システム４００の構成例を示す図である。第４の実施形態では、第１の実施形態の表示装置１１０の代わりに、スマートフォン等の携帯端末４１０が用いられる。
【００９１】
第４の実施形態においても、通信機器４８０Ａ、４８０Ｂ、４８０Ｃ（通信機器４８０と総称する場合がある）に対応するカード４４０Ａ、４４０Ｂ、４４０Ｃ（カード４４０と総称する場合がある）が、コード（例えば、ＱＲコード）を有する。カード４４０は、第４の実施形態では、紙４２０上に置かれる。
【００９２】
携帯端末４１０は、静止画等を撮像する機能を有しており、紙４２０上に置かれたカード４４０を撮像する。そして、携帯端末４１０は、撮像画像中のコードを解析して（すなわち、カード４４０の対応する通信機器４８０を特定して）、カード４４０に対応する通信機器４８０と無線通信を行うことが可能である。また、第４の実施形態では、ユーザＵが紙４２０上でペンＰで線を描くことにより、カード４４０を繋げる。図２０では、例えばカード４４０Ａとカード４４０Ｃが繋がっており、カード４４０Ａとカード４４０Ｃに対応する通信機器４８０Ａと通信機器４８０Ｃの間で接続が行われる。このように、第４の実施形態においても、カード４４０を用いることで、ユーザが視覚的に通信機器４８０の接続状態を把握し、通信機器４８０同士を簡易な方法で接続できる。
【００９３】
＜４．まとめ＞
上述したように、本開示は、カードやブロックなどのユーザが視覚的に見ることができ、かつ無線通信を行う通信機器に対応する物体同士を、結び付ける行為を識別し、結び付けられた物体に対応する２つの通信機器を無線通信で接続させる。これにより、ユーザの目に見えない無線通信を行う通信機器を、ユーザが視覚的に把握できるので、ユーザは通信機器の無線通信による接続を行い易くなり、また、無線通信の接続状態を容易に把握できる。
【００９４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９５】
また、上記の実施形態のフローチャートに示されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００９６】
本明細書において説明した情報処理装置による処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体に予め格納される。そして、各プログラムは、例えば、実行時にＲＡＭ（Random  Access  Memory）に読み込まれ、ＣＰＵなどのプロセッサにより実行される。
【００９７】
なお、以下のような構成も本開示の技術的範囲に属する。
（１）
複数の通信機器の間における無線通信を制御する通信制御装置であって、
前記複数の通信機器のうちの第１通信機器に対応する第１物体から、前記第１通信機器を特定する第１特定情報を取得し、第２通信機器に対応する第２物体から、前記第２通信機器を特定する第２特定情報を取得する特定情報取得部と、
前記第１物体と前記第２物体とを結び付ける行為を識別する行為識別部と、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させる接続制御部と、
を備える、通信制御装置。
（２）
前記第１物体及び前記第２物体は、それぞれカード状の物体である、
前記（１）に記載の通信制御装置。
（３）
前記第１物体及び前記第２物体は、タッチ操作可能な表示装置上に置かれ、
前記第１物体及び前記第２物体を結び付ける行為は、前記表示装置上で前記第１物体と前記第２物体の間をタッチ操作でつなげる行為である、
前記（２）に記載の通信制御装置。
（４）
前記表示装置に、前記第１通信機器及び前記第２通信機器のそれぞれの対応する無線規格に関する情報を表示させる表示制御部を更に備える、
前記（３）に記載の通信制御装置。
（５）
前記表示制御部は、複数の前記無線規格の各々に対応するポインタを、前記第１物体及び前記第２物体に関連付けて表示させ、
前記接続制御部は、前記第１物体と前記第２物体にそれぞれ関連付けられたポインタをタッチ操作でつなげる行為が前記行為識別部により識別されると、前記ポインタに対応する無線規格により、前記第１通信機器と前記第２通信機器を接続させる、
前記（４）に記載の通信制御装置。
（６）
前記第１物体及び前記第２物体は、それぞれブロック状の物体である、
前記（１）に記載の通信制御装置。
（７）
前記第１物体及び前記第２物体を結び付ける行為は、前記第１物体と前記第２物体をケーブルで繋げる行為である、
前記（６）に記載の通信制御装置。
（８）
前記第１物体及び前記第２物体には、複数の無線規格の各々に対応した複数の差込口が設けられ、
前記接続制御部は、前記ケーブルが差し込まれた差込口に対応した無線規格により、前記第１通信機器と前記第２通信機器を接続させる、
前記（７）に記載の通信制御装置。
（９）
前記第１通信機器と前記第２通信機器との間の無線通信の接続が完了したか否かを、表示部又は発光部で報知させる報知制御部を更に備える、
前記（１）〜（８）のいずれか１項に記載の通信制御装置。
（１０）
前記第１通信機器と前記第２通信機器が利用可能なサービス情報を、表示部又は発光部で報知させる報知制御部を更に備える、
前記（１）〜（９）のいずれか１項に記載の通信制御装置。
（１１）
互いに無線通信が可能な複数の通信機器のうちの第１通信機器に対応する第１物体から、前記第１通信機器を特定する第１特定情報を取得し、第２通信機器に対応する第２物体から、前記第２通信機器を特定する第２特定情報を取得することと、
前記第１物体と前記第２物体とを結び付ける行為を識別することと、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させることと、
を有する、通信制御方法。
（１２）
コンピュータに、
互いに無線通信が可能な複数の通信機器のうちの第１通信機器に対応する第１物体から、前記第１通信機器を特定する第１特定情報を取得し、第２通信機器に対応する第２物体から、前記第２通信機器を特定する第２特定情報を取得することと、
前記第１物体と前記第２物体とを結び付ける行為を識別することと、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させることと、
を実行させるための、プログラム。
（１３）
互いに無線通信が可能な複数の通信機器と、
前記複数の通信機器の各々に対応する複数の物体であって、それぞれ対応する通信機器を特定する特定情報を有する複数の物体と、
前記複数の通信機器の間における無線通信での接続を制御する通信制御装置と、
を備え、
前記通信制御装置は、
前記複数の通信機器のうちの第１通信機器に対応する第１物体から、前記第１通信機器を特定する第１特定情報を取得し、第２通信機器に対応する第２物体から、前記第２通信機器を特定する第２特定情報を取得する特定情報取得部と、
前記第１物体と前記第２物体とを結び付ける行為を識別する行為識別部と、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させる接続制御部と、
を有する、通信制御システム。
【符号の説明】
【００９８】
１００、２００、３００、４００    通信制御システム
１１０    表示装置
１４０    カード
１５０    通信制御装置
１５２    特定情報取得部
１５４    行為識別部
１５６    接続制御部
１５８    表示制御部
１６０    報知制御部
１８０    通信機器
２１０    ブロック
Ｃ１、Ｃ２    ケーブル
Ｈ１〜Ｈ４    差込口
【図１】
2014010608.tif 000003
【図２】
2014010608.tif 000004
【図３】
2014010608.tif 000005
【図４】
2014010608.tif 000006
【図５】
2014010608.tif 000007
【図６】
2014010608.tif 000008
【図７】
2014010608.tif 000009
【図８】
2014010608.tif 000010
【図９】
2014010608.tif 000011
【図１０】
2014010608.tif 000012
【図１１】
2014010608.tif 000013
【図１２】
2014010608.tif 000014
【図１３】
2014010608.tif 000015
【図１４】
2014010608.tif 000016
【図１５】
2014010608.tif 000017
【図１６】
2014010608.tif 000018
【図１７】
2014010608.tif 000019
【図１８】
2014010608.tif 000020
【図１９】
2014010608.tif 000021
【図２０】
2014010608.tif 000022